(57)【要約】【課題】  従来の電子カセッテでは、感光性フィルム内臓のカセッテと比較すると、臥している被験者と寝台の間にある撮影部位への挿入に対する操作性が劣る問題があった。【解決手段】  Ｘ線撮影装置のＸ線検出面側又は／及びその裏面側に対して移動可能に保持されたスライド機構を有することで、被験者又は／及び寝台との撮影部位への挿入を容易に行うことができ、操作性の優れた撮影が可能になった。【選択図】  図１
2006058366.tif 000002
【特許請求の範囲】
【請求項１】
被写体を透過した放射線の強度分布を検出する放射線画像検出器と、前記放射線画像検出器を内包する筐体と、前記筐体の放射線入力面側又は／及びその裏面側に前記筐体に対して移動可能に保持されたスライド機構を有することを特徴とする放射線画像撮影装置。
【請求項２】
前記スライド機構は、前記筐体の端面にも有する請求項１記載の放射線画像撮影装置。
【請求項３】
前記スライド機構は、シートを用いた機構によりスライドする請求項１記載の放射線画像撮影装置。
【請求項４】
前記シートは、ガイド部材を介して帯状に配置されている請求項３記載の放射線画像撮影装置。
【請求項５】
前記スライド機構は、転がり部材を用いた機構によりスライドする請求項１記載の放射線画像撮影装置。
【請求項６】
前記スライド機構は、前記筐体と接する面である裏側よりも、被験者又は寝台と接する面である表側の摩擦力が大きくなるよう材質を組み合わせた請求項１記載の放射線画像撮影装置。
【請求項７】
前記スライド機構は、固定及び移動の切替可能な請求項１記載の放射線画像撮影装置。
【請求項８】
前記スライド機構は、前記放射線検出面側及び反対面側の両側に設置されている場合、単独及び、同期して移動可能な請求項１記載の放射線画像撮影装置。
【請求項９】
前記スライド機構は、前記放射線検出面側及び反対面側の両側に設置されている場合、片側単独ロック及び、両側連動ロックして固定可能な請求項１記載の放射線画像撮影装置。
【発明の詳細な説明】
【技術分野】
【０００１】
本発明は、平面検出機を用いたカセッテ型の放射線画像撮影装置の構成に関するものである。
【背景技術】
【０００２】
従来から、Ｘ線撮影として最も一般的な撮影方法はフィルム／スクリーン法であり、これは感光性フィルムとＸ線に対して感度を有している蛍光体を組み合わせて撮影する方法である。第２の撮影方法として、コンピューテッドラジオグラフィ（ＣＲ）法と呼ばれる方法も実用化されている。この方法は放射線の透過画像を蛍光体中に一旦、潜像として蓄積し、後に励起光を照射することにより潜像を読み出す方式である。
【０００３】
また近年の半導体プロセス技術の進歩に伴い、第３の撮影方法として半導体センサを使用して同様にＸ線画像を撮影する装置が開発されている。この種のシステムは、従来の銀塩写真を用いる放射線写真システムと比較して、極めて広範囲な放射線露出域の画像を記録できるという利点を有している。即ち、広範囲のダイナミックレンジのＸ線を光電変換手段により読み取って電気信号に変換した後に、この電気信号を用いて写真感光材料等の記録材料やＣＲＴ等の表示装置に放射線画像を可視像として出力させることにより、放射線の露光量の変動に影響され難い、放射線画像を得ることができる。
【０００４】
図１０は上述した半導体センサを用いた放射線画像撮影システムの概略図を示しており、Ｘ線画像撮影装置１０３には、複数の光電変換素子を二次元状に配置した検出面を有するＸ線検出センサ１０４が内蔵されており、Ｘ線発生部１０１から出射されたＸ線が被写体１０２に照射され、被写体１０２を透過したＸ線はＸ線検出センサ１０４により検出される。このＸ線検出センサ１０４から出力された画像信号は、画像処理手段１０５においてデジタル画像処理され、モニタ１０６上に被写体１０２のＸ線画像として表示される。このようなＸ線検出センサは形状から平面検出器、フラットパネル等と称される。
【０００５】
上記Ｘ線検出センサを用いた装置で、より迅速かつ広範囲な部位の撮影を可能にする為、操作性の優れた電子カセッテと称する可搬型の撮影装置がこれまでに提案されている（特許文献１参照）。
【０００６】
図１１は従来のＸ線検出センサを用いた電子カセッテの概略構成断面図の例である。この電子カセッテは、Ｘ線を可視光に変換する蛍光体４５１ａと、この可視光を電気信号に変換する格子状に配列された光電変換素子４５１ｂと、この光電変換素子４５１ｂをその上面に形成した基板４５１ｃから構成される撮像素子４５１と、この基板４５１ｃを指示する基台４５２と、光電変換素子４５１ｂからの電気信号を処理する電子部品を搭載した回路基板４５３ａを搭載した回路基板４５３及び、光電変換素子４５１ｂと回路基板４５３とを電気的に接続する配線４５４と光電変換素子４５１ｂ及び回路基板４５３に電源供給する為の電源回路４６０と電源用配線４６１と、これらを収納する筐体４５５などから構成されている。尚、電源回路４６０の具体例としては、バッテリとＤＣ／ＤＣ電源回路との組合せあるいは図示しない電源ケーブルより外部から所定の電圧を供給されて各種電圧を生成するＤＣ／ＤＣ電源などから構成される。
【０００７】
このような構成とすることで、薄型軽量化し可搬性を向上することができた。
【特許文献１】特開昭５６−１１３９５号公報
【発明の開示】
【発明が解決しようとする課題】
【０００８】
前述の従来例では、可搬性を向上することができた。しかしながら前述の電子カセッテは撮影部位によって被験者の体重が載ることや、可搬時に誤って衝突・落下させてしまう場合などを想定し、内部のＸ線検出センサを保護する為の強度・耐振動性・耐衝撃性を考慮した構造になっていため、従来の感光性フィルム内臓のカセッテと比較すると厚さ・重量が増加していることや、筐体周辺部に緩衝部材などを構成している場合もあり、臥している被験者と寝台の間にある撮影部位への挿入性が劣る問題があった。
【０００９】
そこで本発明は、上述のような問題を解消することを目的とする。
【課題を解決するための手段】
【００１０】
上記目的を達成するための請求項１に係る本発明は、被写体を透過した放射線の強度分布を検出する放射線画像検出器と、前記放射線画像検出器を内包する筐体と、前記筐体の放射線入力面側又は／及びその裏面側に前記筐体に対して移動可能に保持されたスライド機構を有することを特徴とする放射線画像撮影装置である。
【発明の効果】
【００１１】
以上説明したように、本発明に係るＸ線画像撮影装置は、前記筐体の放射線入力面側又は／及びその裏面側に前記筐体に対して移動可能に保持されたスライド機構を有することスライド機構を有することで、被験者又は／及び寝台との撮影部位への挿入を容易に行うことができ、操作性の優れた撮影が可能になった。
【発明を実施するための最良の形態】
【００１２】
本発明を図１〜図９に図示の実施の形態に基づいて詳細に説明する。なお、以下の実施の形態では、本発明の放射線画像撮影装置の例として、Ｘ線を用いて被検者を撮影する医療用の撮影装置（Ｘ線画像撮影装置）について説明するが、本発明を他の被写体を撮影するＸ線画像撮影装置又は他の放射線を用いた撮影装置に適用することも可能である。
【００１３】
図１は第１の実施の形態の断面図、図２は斜視図である。
【００１４】
図１を用いて第１の実施例の構成を説明する。Ｘ線を可視光に変換する蛍光体１ａと、この可視光を電気信号に変換する格子状に配列された光電変換素子１ｂと、この光電変換素子１ｂをその上面に形成した基板１ｃから構成される撮像素子１と、この基板１ｃを指示する基台２と、光電変換素子１ｂからの電気信号を処理する電子部品を搭載した回路基板３及び、光電変換素子１ｂと回路基板３とを電気的に接続する配線４から構成されるＸ線検出センサは、これらを収納する筐体５の図示に無い側壁に固定されている。
【００１５】
シート７、9は筐体５の開口部５ａを介し筐体の外側／内側を通る帯状のシートとなっている。また、図２の斜視図に示すように帯状シート７はＸ線検出領域１´全面を覆って筐体５に固定されている。
【００１６】
帯状シート７、9は筐体５の側壁に設けられた開口部５ａより、筐体内部のガイド部材８、１０を介し配置されている。ガイド部材８、１０は筐体５に取り付けられており、位置調整し固定することで帯状シート７、９の張力を調整する。また、帯状シート７、９と筐体５開口部５ａの隙間には図示に無い遮光壁が設けられている。
【００１７】
Ｘ線検出面側の帯状シート７は、Ｘ線透過率の高い材質を用いるが、その裏面側の帯状シート９は、Ｘ線透過率の低い材質を用いることで入射したＸ線の筐体５裏面側から外部への透過を抑制する。
【００１８】
帯状シート７、９の表面側７ａ、９ａは、帯状シートの裏面側７ｂ、９ｂよりも摩擦力が3倍以上となっている２層で構成されている。帯状シートの裏面側７ｂ、９ｂと筐体外面との間には、帯状シート裏面側７ｂ、９ｂとの接触面の摩擦力が同等以下の表面層からなる補助シート６が設けられている。これにより、被験者又は／及び寝台との接地面側の最大摩擦力をより大きく、筐体接地面側の最大摩擦力を極力小さくすることで、被験者又は／及び、寝台は帯状シート７、９にしっかりと接地され追従し、帯状シート７、９は裏面７ｂ、９ｂと筐体側が滑ることでスライドする構造になっている。
【００１９】
図３はガイド部材にコロを用いた場合の実施例の部分断面図である。左側に図示してある筐体５開口部５ａ寄りのコロ１３は、筐体５の図示に無い側壁に固定された軸１２を介し取り付けられている。右側に図示してあるＸ線検出センサ寄りのコロ１３は、固定軸１２に図示に無い連結部材により固定された移動軸１１を介し取り付けられている。
【００２０】
図４は第１の実施形態の変形例であり、ガイド部材にコロを用いた場合の実施例の部分断面図である。この実施形態では、コロ１３、１５は通常回転しているが、図示に無いブレーキ機構によりロックし、移動軸１４が固定軸１２側へ移動しコロ１３とコロ１５で帯状シート７を挟み、保持固定する。これは図示に無い外部に設けられたスイッチにより操作可能で、帯状シート７が固定されることにより、電子カセッテが測定部位に配置された際に、その位置がずれてしまわないよう保持することが可能となる。
【００２１】
図５は第１の実施形態の変形例であり、ガイド部材にコロを用いた場合の実施例の部分断面図である。この実施形態では、コロ２２とコロ２３は軸２１を介し図示に無い連結部材により軸１１、１６に取り付けられている。コロ１３とコロ２２、コロ２２とコロ２３は接した状態で配置されており、Ｘ線検出面側のコロ１３にコロ２２を介して連結されているコロ２３は、Ｘ線検出面側とは裏面側のコロ１８にコロ２２を介して連結されているコロ２３と接することでＸ線検出面側及びその裏面側の帯状シート７、９が連動して動く。また、図示に無い外部に設けられたスイッチにより、図６のようにコロ２３が離れることにより、連動を解除し、Ｘ線検出面側及び、その裏面側の帯状シート７，９をそれぞれ単独で可動させることも可能となる。図４の変形例と複合させ、図示に無い外部スイッチを操作することで、Ｘ線検出面側及び、その裏面側の帯状シート７、９を連動ロックもしくは、単独ロックし固定させることが可能となる。これにより、撮影部と寝台は動かさず被験者の位置のみ移動させるなど、位置の微調整が可能となる。
【００２２】
図７は第2の実施形態の側面図であり、図示に無いガイドフレームに取り付けられた帯状シート３１からなるスライド機構は、電子カセッテ筐体３０の内部を通さず、外側を覆うように配置されており、さらにＸ線検出面の裏面側は、図示に無いガイドフレームに固定された裏面側シート３２からなるスライド機構が配置されている形態。
【００２３】
図８は第3の実施形態の側面図であり、Ｘ線検出面及びその裏面側には帯状シートを用いたスライド機構、端面部及び側面部にはコロを用いたスライド機構４２を設け、それらスライド機構を固定するフレーム４１を図示に無い取り付け部材により電子カセッテ筐体４０の外側に配置されている形態。
【００２４】
図９の使用例に示すように従来の電子カセッテの構造にスライド機構を設けたことで臥している被験者と寝台の間にある撮影部位への挿入する際の挿入性が容易となり、優れた操作性の可搬型エックス線画像撮影装置となる。また、帯状シートを用いたスライド機構の場合は挿入方向と逆の方向へ移動回転し、被験者又は／及び寝台はシートに追従し移動するためさらに挿入性が容易となる。
【００２５】
なお、上述の実施形態のＸ線画像撮影装置は、特許請求の範囲を逸脱することなく、多様に変形することが可能であることは言うまでも無い。例えば、筐体より着脱可能な構造にしたりすることも出来る。
【図面の簡単な説明】
【００２６】
【図１】第1の実施形態のＸ線画像撮影装置の概略構成を説明する横断面図である。
【図２】第1の実施形態のＸ線画像撮影装置の概略構成を説明する斜視図である。
【図３】第1の実施形態のＸ線画像撮影装置のガイド部材を説明する部分断面図である。
【図４】第1の実施形態のＸ線画像撮影装置の変形例を説明する部分断面図である。
【図５】第1の実施形態のＸ線画像撮影装置の変形例を説明する部分横断面図である。
【図６】第1の実施形態のＸ線画像撮影装置の変形例を説明する部分横断面図である。
【図７】第２の実施形態のＸ線画像撮影装置の概略構成を説明する側面図である。
【図８】第３の実施形態のＸ線画像撮影装置の概略構成を説明する側面図である。
【図９】使用例の側面図である。
【図１０】従来のＸ線画像撮影システムの説明図である。
【図１１】従来のＸ線画像撮影装置の概略構成を説明する横断面図である。
【符号の説明】
【００２７】
１  Ｘ線検出パネル
１ａ  蛍光体
１ｂ  光電変換素子
１ｃ  基板
２  基台
３  回路基板
４  配線
５  筐体
５ａ  筐体開口部
６  補助シート
７、９  帯状シート
８、１０  ガイド部材
【図１】
2006058366.tif 000003
【図２】
2006058366.tif 000004
【図３】
2006058366.tif 000005
【図４】
2006058366.tif 000006
【図５】
2006058366.tif 000007
【図６】
2006058366.tif 000008
【図７】
2006058366.tif 000009
【図８】
2006058366.tif 000010
【図９】
2006058366.tif 000011
【図１０】
2006058366.tif 000012
【図１１】
2006058366.tif 000013